(57)【要約】【課題】図書の全ページにコードを印刷する代わりに、透明フィルム上に印刷されたページコード及び座標コードを使用して、図書のページに対する内容をオーディオデータ又はビデオデータとして出力する透明フィルムを含む電子図書及び電子図書の認識方法を提供する【解決手段】本発明の電子図書は、図書と、前記図書のページ内の位置に応じる座標情報を含む座標コードと読み取るページを選択するためのページコードとが印刷される透明フィルムと、前記座標コード及び前記ページコードを読み取るスキャン装置を備える図書認識装置とを備える電子図書であって、前記図書認識装置は、前記座標情報に対応するオーディオデータを含むページデータを格納し、前記読み取るページ上に前記透明フィルムが位置した状態で前記読み取るページに対応する前記ページコードを読み取り、前記図書の前記読み取るページ内に特定位置に置かれれば、前記座標コードを読み取り、前記座標コード内の前記座標情報と前記ページコードに対応する前記オーディオデータとを出力する。
2009539136.tif 000002
【特許請求の範囲】
【請求項１】
図書と、
前記図書のページ内の位置に応じる座標情報を含む座標コードと読み取るページを選択するためのページコードとが印刷される透明フィルムと、
前記座標コード及び前記ページコードを読み取るスキャン装置を備える図書認識装置と
を備える電子図書であって、
前記図書認識装置は、前記座標情報に対応するオーディオデータを含むページデータを格納し、前記読み取るページ上に前記透明フィルムが位置した状態で前記読み取るページに対応する前記ページコードを読み取り、前記図書の前記読み取るページ内の特定位置に置かれれば、前記座標コードを読み取り、前記座標コード内の前記座標情報と前記ページコードに対応する前記オーディオデータとを出力する電子図書。
【請求項２】
前記ページコードは、前記図書の前記ページに関連されるページ値を有する請求項１に記載の電子図書。
【請求項３】
前記ページコードは、０から９までの値を有する請求項１に記載の電子図書。
【請求項４】
前記図書認識装置は、前記０から９までの前記ページコードの組み合わせによって、前記図書の１０ページ以上のページを認識する請求項３に記載の電子図書。
【請求項５】
前記透明フィルムは、透明ホルダーの形態であり、前記透明ホルダーの外側の両面に前記ページコードと前記座標コードとが印刷される請求項１に記載の電子図書。
【請求項６】
前記ページデータは、前記座標情報に整合するビデオデータをさらに含むものであり、前記ビデオデータは、前記オーディオデータと共に出力される請求項１に記載の電子図書。
【請求項７】
図書と、前記図書のページを選択するためのページコードと座標コードが印刷される透明フィルムとして、前記座標コードは、前記透明フィルム内の位置に応じる座標情報を含む前記透明フィルムと、スキャン装置を備える図書認識装置として、前記ページコードと前記座標コードとを読み取り、前記座標情報に対応するオーディオデータを含むページデータを格納する前記図書認識装置とを備える電子図書を認識する方法であって、
（ａ）ユーザによって読み取り信号が入力されれば、前記図書認識装置を介してページ入力要請メッセージを出力するステップと、
（ｂ）前記図書認識装置を介して読み取るページの前記ページコードを読み取るステップと、
（ｃ）前記図書認識装置を介して前記読み取るページの前記座標コードを読み取るステップと、
（ｄ）前記ステップ（ｂ）及び前記ステップ（ｃ）にて読み取った前記ページコード及び前記座標コードに対応する前記オーディオデータを出力するステップと
を含む電子図書の認識方法。
【請求項８】
前記ページコードは、０から９までの値を有する請求項７に記載の電子図書の認識方法。
【請求項９】
前記図書は、１０ページ以上のページを含むものであり、
前記ステップ（ｂ）は、
前記０から９までの値を有する前記ページコードの組み合わせによって、前記図書の１０ページ以上の前記読み取るページを認識するステップ
を含む請求項８に記載の電子図書の認識方法。
【発明の詳細な説明】
【技術分野】
【０００１】
本発明は、電子図書に関し、より詳細には、図書の全ページにコードを印刷する代わりに、透明フィルム上に印刷されたページコード及び座標コードを使用して、図書のページに対する内容をオーディオデータ又はビデオデータとして出力する透明フィルムを含む電子図書及び電子図書の認識方法に関する。
【背景技術】
【０００２】
忙しい生活の中で現代人は、多様な経験、情報及び知識を習得し難い。したがって、本、新聞及び広告（以下、図書という）などを通じた間接経験、情報の習得及び学習の重要性は、時間が過ぎるほど一層大きくなっている。最近、知識習得のための本は、多様な機資材を利用するか、又は本の内容に対する視聴覚的な情報を共に提供して学習の効果を高める方式を使用している。学習効果を高める方式を適用した代表的な図書には、電子図書がある。
【０００３】
通常、電子図書は、インターネット及びコンピュータを通じて提供されるポータブルドキュメントフォーマット（Ｐｏｒｔａｂｌｅ  Ｄｏｃｕｍｅｎｔ  Ｆｏｒｍａｔ：ＰＤＦ）などでコーディングされたインターネット電子図書と、本に特殊コードを印刷又はコーティングした符号化映像電子図書とを含む。本発明では、符号化映像電子図書に関するものであるから、以下の電子図書は、符号化映像電子図書のことを称する。
【０００４】
図１は、従来の一般的な電子図書の構成及び動作を説明するための図である。以下、図１を参照して従来の技術について説明する。
【０００５】
図１に示すように、符号化映像電子図書は、特殊コードの印刷された電子図書１０と、前記電子図書１０から前記特殊コードを読み出し処理できる図書認識装置２０とから構成される。
【０００６】
前記電子図書１０内には、電子図書１０内の全ページにわたって特殊コード１が印刷され、前記特殊コードの印刷されたページ上に図書の内容が印刷される。前記特殊コードは、該当ページ上での座標情報を含む。前記特殊コード印刷方式は、特許文献１（韓国特許公報特１９９５−０００４３３０）「新しい印刷方法及び印刷物」に詳細に記載されているので、その説明を省略する。
【０００７】
また、前記電子図書１０の各ページを認識するために、各ページの一側面には、ページ情報を有するページコード２が印刷されうる。
【０００８】
図書認識装置２０は、前記電子図書１０の各ページの内容に対するオーディオデータ又はビデオデータを含むページデータを格納している。
【０００９】
図書認識装置２０は、前記電子図書１０上に印刷されたページコード２を読み取り、該読み取ったページコード２に対応するページデータを読み取り、前記ページコード２に対したページから任意位置の特殊コード１が読み取られると、前記ページコード２に対したページデータから前記特殊コード１に対した座標情報に対応するオーディオデータ又はビデオデータを読み取った後、スピーカー又は液晶表示装置（Ｌｉｑｕｉｄ  Ｃｒｙｓｔａｌ
【００１０】
Ｄｉｓｐｌａｙ：ＬＣＤ）を介して出力する。
上述したように、従来の電子図書を製作する場合、電子図書の発刊時に図書の内容と共に全ページにわたって特殊コード１及びページコード２を印刷しなければならないため、電子図書の製作費用が多くかかるという問題点がある。
そのため、電子図書の価格が高く策定されることによりユーザが気軽に購買できないため、大衆化は難い。
【００１１】
【特許文献１】韓国特許公報特１９９５−０００４３３０
【発明の開示】
【発明が解決しようとする課題】
【００１２】
本発明の目的は、図書の全ページにコードを印刷する代わりに、透明フィルム上に印刷されたページコード及び座標コードを使用して図書のページに対する内容をオーディオデータ及び／又はビデオデータとして出力できる透明フィルムを含む電子図書及び電子図書の認識方法を提供することにある。
【課題を解決するための手段】
【００１３】
上記の目的を達成するために、本発明は、図書と、前記図書のページ内の位置に応じる座標情報を含む座標コードと読み取るページを選択するためのページコードとが印刷される透明フィルムと、前記座標コード及び前記ページコードを読み取るスキャン装置を備える図書認識装置とを備える電子図書であって、前記図書認識装置は、前記座標情報に対応するオーディオデータを含むページデータを格納し、前記読み取るページ上に前記透明フィルムが位置した状態で前記読み取るページに対応する前記ページコードを読み取り、前記図書の前記読み取るページ内に特定位置に置かれれば、前記座標コードを読み取り、前記座標コード内の前記座標情報と前記ページコードに対応する前記オーディオデータとを出力する電子図書を提供する。
【００１４】
前記ページコードは、前記図書の前記ページに関連されるページ値を有することができる。また、前記ページコードは、０から９までの値を有することができ、前記図書認識装置は、前記０から９までの前記ページコードの組み合わせによって、前記図書の１０ページ以上のページを認識することができる。前記透明フィルムは、透明ホルダーの形態であり、前記透明ホルダーの外側の両面に前記ページコードと前記座標コードとが印刷されることができる。また、前記ページデータは、前記座標情報に整合するビデオデータをさらに含むものであり、前記ビデオデータは、前記オーディオデータと共に出力されることができる。
【００１５】
また、本発明は、図書と、前記図書のページを選択するためのページコードと座標コードが印刷される透明フィルムとして、前記座標コードは、前記透明フィルム内の位置に応じる座標情報を含む前記透明フィルムと、スキャン装置を備える図書認識装置として、前記ページコードと前記座標コードとを読み取り、前記座標情報に対応するオーディオデータを含むページデータを格納する前記図書認識装置とを備える電子図書を認識する方法であって、（ａ）ユーザによって読み取り信号が入力されれば、前記図書認識装置を介してページ入力要請メッセージを出力するステップと、（ｂ）前記図書認識装置を介して読み取るページの前記ページコードを読み取るステップと、（ｃ）前記図書認識装置を介して前記読み取るページの前記座標コードを読み取るステップと、（ｄ）前記ステップ（ｂ）及び前記ステップ（ｃ）にて読み取った前記ページコード及び前記座標コードに対応する前記オーディオデータを出力するステップとを含む電子図書の認識方法を提供する。
【００１６】
前記ページコードは、０から９までの値を有することができる。
【００１７】
前記図書は、１０ページ以上のページを含むものであり、前記ステップ（ｂ）は、前記０から９までの値を有する前記ページコードの組み合わせによって、前記図書の１０ページ以上の前記読み取るページを認識するステップを含むことができる。
【発明の効果】
【００１８】
本発明によれば、図書の全ページにコードを印刷する代わりに、ページコード及び座標コードの印刷された透明フィルムを使用して、オーディオデータ及び／又はビデオデータを提供することができる。したがって、図書の生産単価を下げることができる。また、図書を低コストで提供できる。
【発明を実施するための最良の形態】
【００１９】
以下、本発明による好ましい実施の形態を添付した図面を参照して詳細に説明する。下記の説明では、本発明による動作を理解するのに必要な部分のみが説明され、その他の部分の説明は、本発明の要旨から逸脱しないように省略することに留意すべきである。
【００２０】
本発明による電子図書は、図書と、ページ情報を含むページコードと座標情報を含む座標コード（以下、前記ページコードと前記座標コードとを含むコードを「特殊コード」と称する）とが印刷された透明フィルムとして、一枚又は各終わり部分が接合された２枚のシート（ｓｈｅｅｔ）から構成される透明フィルムと、前記ページコード及び前記座標コードを読み取るためのスキャン装置を備える図書認識装置とを備える。前記図書認識装置は、図書のページの内容に対応する座標情報と整合したオーディオデータ及び／又はビデオデータを含むページデータを格納し、認識するページ上に前記透明フィルムが配置された状態で前記ページに対応するページコードを読み取り、前記透明フィルム上に前記図書認識装置が配置されれば、該当位置の前記座標コードを読み取り、前記図書認識装置によって読み取られた座標コード内に含まれる前記座標情報に対応する前記オーディオデータ及び／又は前記ビデオデータを出力する。
【００２１】
前記図書は、例えば、通常の本、パンフレット、メニューボード、新聞、広告を含むことができる。一枚の透明フィルムを使用して、前記本、パンフレット、メニューボード及び新聞などのページを認識することができる。しかしながら、前記図書の内容と前記透明フィルム上に印刷された座標コードを容易に整列するために、２枚の透明フィルムの側面終端を接合して使用することが好ましい。また、広告看板に適用する場合には、一枚の透明フィルムを使用することが好ましい。
【００２２】
また、本発明において前記透明フィルムの所定の領域には、前記図書の内容に重ならないようにページコードが印刷される。前記ページコードは、前記図書のページ数に対応するページ番号であり得、又は０から９までの値を有する番号でありうる。後者の場合、ページを選択するためのページ番号は、前記０から９までの値を有する前記ページコードの組み合わせを入力することによって行われうる。例えば、図書認識装置を利用して透明フィルムに印刷された１に対するページコードと２に対するページコードとを認識することにより、１２ページを選択することができる。１に対するページコードと２に対するページコードとを認識する場合、ユーザは、図書認識装置の組み合わせボタンを押した状態で図書認識装置を使用しなければならない。
【００２３】
以下、図面を参照して、本発明による透明フィルムを利用した電子図書及び図書の認識方法を説明する。
【００２４】
図２Ａは、本発明の第１の実施の形態による透明フィルムを含む電子図書を示す図であり、図２Ｂは、本発明の第１の実施の形態による透明フィルムを含む電子図書において、透明フィルムが図書に挿入された構造を示す図である。
【００２５】
本発明の第１実施の形態による電子図書は、特殊コードのコーディングされていない図書３００と、特殊コードが外側の側面に印刷され、内側に二終端が接合された透明ホルダー形態の透明フィルム１００と、ペンシル（Ｐｅｎｃｉｌ）型図書認識装置２００とを備える。
【００２６】
図２Ａ〜図２Ｂに示すように、透明フィルム１００は、図書３００のページの大きさに相応する大きさを有する。また、透明フィルム１００は、第１透明フィルム１００−１と第２透明フィルム１００−２とから構成され、前記第１及び前記第２透明フィルム１００−１、１００−２の内側に前記第１及び前記第２透明フィルム１００−１、１００−２の終端が接合される。図２Ｂに示すように、前記接合により透明フィルム１００は、前記図書３００の両ページを覆うように構成される。すなわち、前記透明フィルムは、透明ホルダー（又はファイルという）の形態に形成される。
【００２７】
特殊コードは、前記第１透明フィルム１００−１及び前記第２透明フィルム１００−２の外側面に印刷される。
【００２８】
透明フィルム１００は、特殊コードのうち、ページコードの印刷される第１領域１１０と、特殊コードのうち、座標コードの印刷される第２領域１２０とを備える。図２Ａに示すように、０〜９までの値を有するページコードが第１領域１１０内に印刷される。図書３００のページ数が１０ページ以上であれば、前記図書３００の１０ページ以上のページは、前記０〜９までの値を有するページコードの組み合わせにより選択されることができる。また、前記図書３００のページ数に対応する個数のページコードが第１領域１１０に印刷されることもできる。しかしながら、前記図書３００のページ数が多い場合には、第１領域１１０に前記図書の全ページ数に対応する個数のページコードを印刷することが難しい。したがって、ページ数の少ない乳児用や子供用図書の場合、後者の方式を使用し、ページ数の多い図書の場合には、前者の方式を使用することができる。前記図２Ａ〜図２Ｂに示すように、ページコード領域である第１領域１１０が透明フィルム１００の下端に位置するように示されるが、第１領域１１０は、透明フィルム１００の上端に位置することもでき、右側又は左側に位置することもできる。ただし、図書３００の内容部分と第１領域１１０とが互いに重ならないように、第１領域１１０が配置されなければならない。
【００２９】
前記図２Ａ〜図２Ｂに示すように、図書認識装置２００は、ペンシル形態に示されているが、図書認識装置２００は、ＭＰ３、ＰＤＡ及び携帯電話などに一体化して具現化されることができる。
【００３０】
図３は、本発明の第２の実施の形態による透明フィルムを含む電子図書を示す図であって、本発明が広告看板に適用される場合を示す。
【００３１】
図面の参照符号４００は、広告看板用図書認識装置を示す。
【００３２】
図３に示すように、前記広告看板用図書認識装置４００は、スキャン装置４４０と、スピーカー４２０と、入力装置５３０と、特殊コードの印刷された透明フィルム４４０が挿入されるフレーム４０１とを備える。
【００３３】
広告物（図示せず）は、前記透明フィルム４４０下に複数配置されることができる。また、複数の広告を具備する広告ベルトが前記透明フィルム４００下に配置されることができ、前記広告ベルトは、ローラ（図示せず）によって回転して複数の広告をフレームを介して順次提示できる。
【００３４】
前記入力装置５３０は、広告物案内音声のボリュームを調節できるボリューム調節部５３１と、言語を選択できる言語選択部５３３と、広告物を選択するための広告選択部５３５とを備えることができる。
【００３５】
スキャン装置４１０は、前記フレーム４０１上に挿入された透明フィルム４４０の特殊コードを読み出す。
【００３６】
前記図２Ａ〜図２Ｂの透明フィルムと同様に、広告看板に挿入される透明フィルム４００は、座標コードの印刷される第２領域４４３とページコードの印刷される第１領域４４１とを備える。また、透明フィルム４００下に配置される広告物は、前記入力装置５３０の広告選択部５３５によって選択されることもできる。
【００３７】
前記図３を参照にした実施の形態では、透明フィルム４００に特殊コードが印刷される場合を説明したが、透明フィルムの代わりに複数の広告物の各々に直接特殊コードを印刷する方式を使用することもできる。
【００３８】
以下、図４を参照して、前記図２Ａ〜図２Ｂと図３の図書認識装置の内部ハードウェアの構成及び動作を説明する。
【００３９】
図４は、図２Ａ、図２Ｂ及び図３に示す図書認識装置の構成を示すブロック図である。
【００４０】
図４に示すように、本発明による図書認識装置は、制御部５１０と、格納部５２０と、入力部５３０と、ディスプレイ部５４０と、スキャン５５０と、携帯用メモリ５６０と、インターフェス部５７０と、オーディオ処理部５８０と、スピーカー４２０とを備える。
【００４１】
制御部５１０は、本発明による図書認識装置の全般的な動作を制御する。特に、制御部５１０は、透明フィルムからページコードと座標コードとを入力され、入力されたページコード及び座標コードに対するオーディオデータ及び／又はビデオデータをロードして、前記オーディオ処理部５８０及びディスプレイ部５４０を介して出力する。
【００４２】
格納部５２０は、本発明による図書認識装置の動作を制御するための制御プログラムを格納する領域と、前記制御プログラムの遂行中に発生するデータを一時格納する領域とを備える。
【００４３】
前記図２Ａ〜図２Ｂを参照にした第１の実施の形態によれば、入力部５３０は、電源ボタン（又は電源スイッチ）、ボリュームボタン、ページ組み合わせボタン及び座標コードの読み取りを始めるための読み出しボタンなどのように、ユーザが図書認識装置を制御するための複数のボタンを具備する。前記図３を参照にした第２の実施の形態によれば、入力部５３０は、ボリュームボタン５３１、言語選択ボタン５３３及び広告物選択ボタン５３５などを備える。前記ボタンのうち、押されたボタンに対するボタン信号は、前記制御部５１０に送信される。
【００４４】
ディスプレイ部５４０は、前記図２Ａ〜図２Ｂを参照にする第１の実施の形態及び図３を参照にする第２の実施の形態では説明していないが、前記制御部１０の制御を受けてテキスト又はグラフィック又は映像をディスプレイする。
【００４５】
スキャン５５０は、スキャン装置であって、前記透明フィルムに印刷された特殊コードを読み取って、前記制御部１０に出力する。
【００４６】
携帯用メモリ５６０は、フラッシュメモリを含むことができ、図書の各ページの領域内の座標コード又は広告物の各領域内の座標コードに対応するオーディオデータ及び／又はビデオデータを含むページデータを格納する。携帯用メモリ５６０は、図書認識装置と分離して携帯が可能である。前記携帯用メモリ５６０は、図書又は広告物などと共に提供されることができる。又は、携帯用メモリ５６０は、コンピュータを介して受信された図書又は広告物に関連されたページデータを格納することができる。前記携帯用メモリ５６０は、セキュリティデジタル（Ｓｅｃｕｒｉｔｙ  Ｄｉｇｉｔａｌ  ＳＤ）カード、コンパクトフラッシュ（登録商標）（Ｃｏｍｐａｃｔ  Ｆｌａｓｈ：ＣＦ）カード及び汎用直列バス（Ｕｎｉｖｅｒｓａｌ  Ｓｅｒｉａｌ  Ｂｕｓ：ＵＳＢ）メモリのうちの何れか一つでありうる。
【００４７】
インターフェス部５７０は、前記携帯用メモリ５６０と接続するコネクターを具備し、前記携帯用メモリ５６０と制御部５１０との間のデータ通信を行う。
【００４８】
オーディオ処理部５８０は、スピーカー４２０を具備し、前記制御部１０の制御を受けてオーディオデータを出力する。
【００４９】
図５は、本発明の第１の実施の形態による透明フィルムを含む電子図書の認識方法を示すフローチャートである。以下、図４及び図５を参照して説明する。
【００５０】
ステップ６１１にて制御部５１０は、特殊コードリーディング（Ｒｅａｄｉｎｇ）信号が入力されるか否かを検査する。前記特殊コードリーディング信号は、ユーザが電源スイッチ又は別途のリーディングボタンを押すことにより生成される。
【００５１】
前記ステップ６１１を通じてリーディング信号が入力されると確認されれば、ステップ６１３にて制御部５１０は、ページ入力要請メッセージ、例えば「ページを選択してください」のような音声メッセージをオーディオ処理部５８０とスピーカー４２０とを介して出力する。
【００５２】
前記ステップ６１３により前記ページ入力要請メッセージを出力した後、ステップ６１５にて制御部５１０は、スキャン５５０からページコードが入力されるか否かを検査する。制御部５１０は、ページ組み合わせボタンの入力有無によって複数のページコードを入力され、入力されたページコードの組み合わせによりページを判断することができる。
前記ステップ６１５によりページコードが入力されれば、ステップ６１７にて制御部５１０は、携帯用メモリ５６０からインターフェス部５７０を介して該当ページコードに対するページデータを読み取って格納部５２０に格納する。
【００５３】
前記ステップ６１７によりページデータを格納部に格納した後、ステップ６１９にて制御部５１０は、スキャン５５０から座標コードが入力されるか否かを検査する。
【００５４】
前記ステップ６１９により座標コードが入力されれば、ステップ６２１にて制御部５１０は、前記格納部５２０に格納されたページデータから前記入力された座標コードに対応するオーディオデータ及び／又はビデオデータを読み取った後、オーディオ処理部５８０又はディスプレイ部５４０を介して出力する。
【００５５】
前記図５を参照にする本発明による透明フィルムを含む電子図書の認識方法の実施の形態では、ページコードが入力されれば、制御部５１０は、ページデータを格納部５２０に格納し、座標コードの入力時に制御部５１０は、前記格納部５２０で前記座標コードに対するオーディオデータ及び／又はビデオデータを読み取る構成を説明した。しかしながら、ページコードと座標コードとをすべて入力された後、制御部５１０が前記携帯用メモリ５６０から前記ページコードに対応するページの前記座標コードに該当するオーディオデータ及び／又はビデオデータを直接読み取って、オーディオ処理部５８０又はディスプレイ部５４０を介して出力する構成も可能である。
【００５６】
一方、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、特許請求の範囲だけでなく、特許請求の範囲と均等なものによって決まらねばならない。
【００５７】
前述したように、本発明によれば、図書の全ページにコードを印刷する代わりに、ページコード及び座標コードが印刷された透明フィルムを使用して、オーディオデータ及び／又はビデオデータを提供することができる。したがって、図書の生産単価を下げることができる。また、図書を低コストで提供できる。
【図面の簡単な説明】
【００５８】
【図１】一般的な電子図書を示す図である。
【図２Ａ】本発明の第１の実施の形態による透明フィルムを含む電子図書を示す図である。
【図２Ｂ】本発明の第１の実施の形態による透明フィルムを含む電子図書において透明フィルムが図書に挿入された構造を示す図である。
【図３】本発明の第２の実施の形態による透明フィルムを含む電子図書を示す図である。
【図４】図２Ａ、図２Ｂ及び図３に示す図書認識装置の構成を示すブロック図である。
【図５】本発明の第１の実施の形態による透明フィルムを含む電子図書の認識方法を示すフローチャートである。
【図１】
2009539136.tif 000003
【図２Ａ】
2009539136.tif 000004
【図２Ｂ】
2009539136.tif 000005
【図３】
2009539136.tif 000006
【図４】
2009539136.tif 000007
【図５】
2009539136.tif 000008
【国際調査報告】
2009539136.tif 000009
2009539136.tif 000010